(57)【要約】【課題】構成が簡単で、組立作業が容易にできるバッテリ装置を提供する。【解決手段】バッテリ装置において、バッテリ１０の底部を挿入させてバッテリ１０をその下方から支持するバッテリトレー１１を設ける。バッテリトレー１１の底部に排液孔３４を貫設する。バッテリトレー１１の内底部から排液孔３４を通し下方に流れる廃液Ａを、その内部に流入させると共に所定方向Ｂに案内する案内体３７を設ける。案内体３７の内面に突設され、排液孔３４に嵌入されてバッテリトレー１１に係止される係止突起４４を設ける。バッテリトレー１１の内底部を案内体３７の内部に連通させる連通孔４８を係止突起４４に形成する。【選択図】図１
2013235702.tif 000002
【特許請求の範囲】
【請求項１】
バッテリの底部を挿入させてこのバッテリをその下方から支持するバッテリトレーを設け、このバッテリトレーの底部に排液孔を貫設し、上記バッテリトレーの内底部から上記排液孔を通し下方に流れる廃液を、その内部に流入させると共に所定方向に案内する案内体を設けたバッテリ装置において、
上記案内体の内面に突設され、上記排液孔に嵌入されて上記バッテリトレーに係止される係止突起を設け、上記バッテリトレーの内底部を上記案内体の内部に連通させる連通孔を上記係止突起に形成したことを特徴とするバッテリ装置。
【発明の詳細な説明】
【技術分野】
【０００１】
本発明は、バッテリ周りに生じた廃液を廃棄すべき所定方向に向けて案内するようにしたバッテリ装置に関するものである。
【背景技術】
【０００２】
上記バッテリ装置では、バッテリの電気的な性能を良好に維持するため、このバッテリにバッテリ液や補給水を注入することがある。この場合、このように注入する液が上記バッテリをその下方から支持するバッテリトレー内にこぼれたり、上記バッテリから溢れて上記バッテリトレー内に流入したりすることがある。ところで、この液にはバッテリ液の一部として希硫酸が含まれていることが多いため、仮に、このような液がバッテリトレーの下方域などに位置するワイヤハーネスに付着したとすると、このワイヤハーネスのコネクタが腐食するおそれを生じる。
【０００３】
そこで、上記バッテリ周りに生じた液を、支障なく処理するためのバッテリ装置として、従来、下記特許文献１に示されるものが提案されている。この公報のものによれば、バッテリの底部を挿入させてこのバッテリをその下方から支持するバッテリトレーが設けられ、このバッテリトレーの底部に排液孔が貫設される。また、上記バッテリトレーの内底部から上記排液孔を通し下方に流れる廃液を、その内部に流入させると共に所定方向に案内する案内体が設けられる。
【０００４】
そして、上記バッテリトレーに流入した液は廃液として上記排液孔を通し下方に流され、この廃液は廃棄しても支障のない所定方向に向けて上記案内体により案内されることとされる。
【先行技術文献】
【特許文献】
【０００５】
【特許文献１】実開昭６２−６５３４４号公報
【発明の概要】
【発明が解決しようとする課題】
【０００６】
ところで、上記従来の技術では、バッテリトレーから下方に流れる廃液を所定方向に案内する案内体は、別途に設けた支持材によって支持されている。よって、その分、このバッテリ装置の部品点数が多くなって、その構成が複雑になったり、組立作業が煩雑になったりするおそれがある。
【課題を解決するための手段】
【０００７】
本発明は、上記のような事情に注目してなされたもので、本発明の目的は、構成が簡単で、組立作業が容易にできるバッテリ装置を提供することである。
【０００８】
請求項１の発明は、バッテリ１０の底部を挿入させてこのバッテリ１０をその下方から支持するバッテリトレー１１を設け、このバッテリトレー１１の底部に排液孔３４を貫設し、上記バッテリトレー１１の内底部から上記排液孔３４を通し下方に流れる廃液Ａを、その内部に流入させると共に所定方向Ｂに案内する案内体３７を設けたバッテリ装置において、
上記案内体３７の内面に突設され、上記排液孔３４に嵌入されて上記バッテリトレー１１に係止される係止突起４４を設け、上記バッテリトレー１１の内底部を上記案内体３７の内部に連通させる連通孔４８を上記係止突起４４に形成したことを特徴とするバッテリ装置である。
【０００９】
なお、この項において、上記各用語に付記した符号や図面番号は、本発明の技術的範囲を後述の「実施例」の項や図面の内容に限定解釈するものではない。
【発明の効果】
【００１０】
本発明による効果は、次の如くである。
【００１１】
請求項１の発明は、バッテリの底部を挿入させてこのバッテリをその下方から支持するバッテリトレーを設け、このバッテリトレーの底部に排液孔を貫設し、上記バッテリトレーの内底部から上記排液孔を通し下方に流れる廃液を、その内部に流入させると共に所定方向に案内する案内体を設けたバッテリ装置において、
上記案内体の内面に突設され、上記排液孔に嵌入されて上記バッテリトレーに係止される係止突起を設け、上記バッテリトレーの内底部を上記案内体の内部に連通させる連通孔を上記係止突起に形成している。
【００１２】
このため、上記バッテリトレーに形成された排液孔に上記係止突起を係止させれば、この係止突起を介し上記バッテリトレーに上記案内体が組み付けられて支持されることとなる。そして、上記バッテリトレーの内底部における廃液は上記係止突起に形成された連通孔を通し上記案内体の内部に流入させられ、その後、所定方向に案内されて廃棄可能とされる。
【００１３】
よって、上記バッテリトレーに案内体を支持させるために、上記バッテリトレーに形成された排液孔が利用されたのであり、また、上記バッテリトレーの内底部における廃液を上記案内体の内部に流入させる上記連通孔の形成のために、上記バッテリトレーに案内体を支持させるための上記係止突起が利用されている。そして、このようにバッテリ装置の各構成部品を利用した結果、このバッテリ装置の部品点数を少なく抑制できることから、このバッテリ装置の構成を簡単にできると共に、生産性の向上により製造が安価にできる。
【００１４】
また、上記のようにバッテリ装置の構成を簡単にできることと、上記バッテリトレーへの案内体の組み付けが上記バッテリトレーの排液孔に上記案内体に突設した係止突起を嵌入するという単純な作業で達成されることとにより、上記バッテリ装置の組立作業は容易にできることとなる。
【図面の簡単な説明】
【００１５】
【図１】図３の部分拡大断面図である。
【図２】平面図である。
【図３】正面部分断面図である。
【図４】側面図である。
【図５】図４の部分拡大断面図である。
【図６】斜視展開図である。
【発明を実施するための形態】
【００１６】
本発明のバッテリ装置に関し、構成が簡単で、組立作業が容易にできるバッテリ装置を提供する、という目的を実現するため、本発明を実施するための形態は、次の如くである。
【００１７】
即ち、バッテリ装置には、バッテリの底部を挿入させてこのバッテリをその下方から支持するバッテリトレーが設けられ、このバッテリトレーの底部に排液孔が貫設される。上記バッテリトレーの内底部から上記排液孔を通し下方に流れる廃液を、その内部に流入させると共に所定方向に案内する案内体が設けられる。上記案内体の内面に突設され、上記排液孔に嵌入されて上記バッテリトレーに係止される係止突起が設けられる。上記バッテリトレーの内底部を上記案内体の内部に連通させる連通孔が上記係止突起に形成される。
【実施例】
【００１８】
本発明をより詳細に説明するために、その実施例を添付の図に従って説明する。
【００１９】
図において、符号１は、自動車で例示される車両であり、矢印Ｆｒは、この車両１の進行方向の前方を示している。
【００２０】
車両１の車体２の前部には、上方に向かって開放されエンジンを収容するエンジンルーム３が形成される。上記車体２の前部は、上記エンジンルーム３の側面を形成する板金製の左右側壁４を有し、この側壁４は、車体２の骨格部材を構成する車体フレーム５や、この車体フレーム５に結合されるサスペンションタワー６により構成される。
【００２１】
上記エンジンや制御装置等に必要な電力を供給するバッテリ装置９が上記エンジンルーム３内に設けられる。上記バッテリ装置９は、このバッテリ装置９の主体であるバッテリ１０の底部を挿抜可能に挿入させてこのバッテリ１０をその下方から支持する樹脂製のバッテリトレー１１と、このバッテリトレー１１を車両１の固定側部材１２である上記車体２に支持する第１、第２支持装置１３，１４とを備えている。
【００２２】
上記第１支持装置１３は、帯板状の板金材を車体２の正面視（図３）で、倒立Ｌ字形状となるよう屈曲させて形成された支持ブラケット１７を有し、この支持ブラケット１７の上、下部の間の中途部は、その上面が円弧凸形状となるよう大きい半径で屈曲形成された屈曲部１７ａとされている。この支持ブラケット１７の下部は上記車体２の側壁４の車体フレーム５に締結具１８により固着される。そして、上記支持ブラケット１７の上部の上面に上記バッテリトレー１１が載置され、このバッテリトレー１１は締結具１９により上記支持ブラケット１７の上部に締結されて固着される。
【００２３】
上記支持ブラケット１７の幅方向の中途部（ほぼ中央部）には、この支持ブラケット１７の長手方向に沿うよう連続的にビード２０が屈曲形成される。このビード２０は上記支持ブラケット１７を補強してその強度と剛性とを向上させる。このビード２０の内面は上記支持ブラケット１７の長手方向に沿って連続的に延びる溝２１とされ、この溝２１は、上記支持ブラケット１７の上部では上方に向かって開き、この支持ブラケット１７の屈曲部１７ａでは車体２の外側方かつ上方に向かって開き、この支持ブラケット１７の下部では外側方に向かって開いている。
【００２４】
上記第２支持装置１４は、上記バッテリトレー１１の下面に沿って延び、その一端部が上記締結具１９により上記バッテリトレー１１および支持ブラケット１７の上部と共締めされる板金製支持板２４と、上記バッテリ１０の上方近傍を車体２の幅方向に横切るよう設けられ、その一端部が締結具２５により上記車体２の側壁４のサスペンションタワー６上面に固着される支持バー２６と、上下方向に延び、その下端部がフック形状とされて上記支持板２４の他端部に掛脱可能に掛止される一方、上端部が締結具２７により上記支持バー２６の他端部に着脱可能に固着される連結バー２８とを備え、上記バッテリ１０は上記バッテリトレー１１と支持バー２６とにより上下から解除可能に挟み付けられる。
【００２５】
上記バッテリトレー１１の底板の面方向の中途部に、この中途部を下方に向かって膨出させることにより互いに並設される前後一対の第１凹所３１，３１が形成されている。また、これら両第１凹所３１，３１の間における上記バッテリトレー１１の底板の部分に、この部分を下方に向かって膨出させることにより第２凹所３２が形成されている。この第２凹所３２の内底面は、上記バッテリトレー１１の内底面の各部のうち、最低部とされる。また、このバッテリトレー１１の各部内底面は上記第２凹所３２の内底面に向かって段階的に漸次低くなることとされている。これにより、上記バッテリ１０周りから上記バッテリトレー１１内に流入した廃液Ａは、自然流下により上記第２凹所３２の内底部に集められる。
【００２６】
上記バッテリトレー１１の底部の部分は、上記したように下方に向かって膨出させられて膨出部３３が形成され、この膨出部３３の内部が上記第２凹所３２とされている。上記膨出部３３は、上記第２凹所３２の側面を形成する側部板３３ａと、上記第２凹所３２の内底面を形成するよう上記側部板３３ａの下端縁部に一体的に形成される底部板３３ｂとを有している。そして、この底部板３３ｂに、縦向き軸心を有する排液孔３４が貫設される。車両１の平面視（図２）で、上記排液孔３４は円形とされる。
【００２７】
上記バッテリ装置９は、上記バッテリトレー１１の第２凹所３２の部分と上記排液孔３４とをその下方から覆うよう設けられる樹脂製の案内体３７を有している。ここで、前記支持ブラケット１７の上部は、上記案内体３７をその下方から覆うよう上記バッテリトレー１１を支持しており、上記案内体３７は上記バッテリトレー１１の上部の溝２１内に収容されている。上記案内体３７は、上記バッテリトレー１１の第２凹所３２の内底部から上記排液孔３４を通し下方に流れる廃液Ａを、その内部に流入させると共に、車両１の幅方向で上記側壁４側に向かう所定方向Ｂに向かうよう案内し、その後、上記支持ブラケット１７の上部の溝２１内に流入可能とさせる。
【００２８】
上記案内体３７は車体２の幅方向であって、ほぼ水平な所定方向Ｂに長く延びる樋形状をなしている。この案内体３７は、上記所定方向Ｂに長い長方形状の底部板３８と、この底部板３８の幅方向の各端縁部からそれぞれ上方に向かって一体的に突出する一対の側部板３９，３９と、これら底部板３８と各側部板３９とで囲まれた樋溝４０と、この樋溝４０の長手方向における上記所定方向Ｂとは反対側である一端部側開口を閉じる閉止板４１と、上記底部板３８と閉止板４１との隅部に設けられ、これら３８，４１に一体的に架設される上記底部板３８の幅方向で複数（２つ）の補強板４２とを有している。
【００２９】
上記樋溝４０の長手方向における上記所定方向Ｂでの他端部側開口の直下に、上記支持ブラケット１７の屈曲部１７ａの上面に形成された溝２１が位置している。また、上記各補強板４２は、上記第２凹所３２を形成する上記バッテリトレー１１の膨出部３３の側部板３３ａの外側面に少し離れて近接配置されている。なお、上記補強板４２は、上記した膨出部３３の側部板３３ａの外側面に当接もしくは圧接するよう近接させてもよい。
【００３０】
上記案内体３７の内面である上記底部板３８の上面に一体的に突設され、上記排液孔３４に嵌入されて上記バッテリトレー１１に弾性的に係止される係止突起４４が設けられる。そして、この係止突起４４のバッテリトレー１１への係止により、このバッテリトレー１１に対し上記係止突起４４を介し上記案内体３７が支持される。
【００３１】
上記係止突起４４は、この係止突起４４の基部を構成し、上記底部板３８の上面に一体的に突設される一対の脚部４５，４５と、これら両脚部４５，４５の各突出端部に一体的に形成され、互いに逆向きとされる一対のフック部４６，４６とを有している。上記両脚部４５，４５の平面断面視（図２）での全体的な外面は円形とされている。
【００３２】
上記したように、排液孔３４に係止突起４４を嵌入させて、この係止突起４４をバッテリトレー１１に係止させたとき、上記排液孔３４の内面の各部に上記両脚部４５，４５の全体的な外面の各部が当接（弾性的な圧接含む）する。
【００３３】
ここで、上記排液孔３４は円形であるため、この排液孔３４の縦向き軸心回りで、上記係止突起４４は上記案内体３７と共に自由に回動しようとする。しかし、このように回動しようとする場合、この案内体３７の各補強板４２は上記膨出部３３の側部板３３ａの外側面に当接することとされている。このため、上記係止突起４４や案内体３７は、上記排液孔３４の縦向き軸心回りでの自由な回動が阻止され、この排液孔３４の軸心回りの所定位置に位置決めされる。
【００３４】
また、上記したように、係止突起４４をバッテリトレー１１に係止させとき、上記案内体３７の各側部板３９の上端面は上記バッテリトレー１１の下面にそれぞれ圧接し、この状態で、上記係止突起４４の各フック部４６が、上記バッテリトレー１１における上記排液孔３４の上端開口縁部に弾性的に係止される。
【００３５】
具体的には、上記係止突起４４の各フック部４６の各下端面が係止面とされる。そして、この係止面が、上記膨出部３３の底部板３３ｂの上面における上記排液孔３４の上端開口縁部に圧接して上記係止が達成される。これにより、上記バッテリトレー１１に対し案内体３７ががたつくことは防止される。また、上記案内体３７の樋溝４０は、その上方から上記バッテリトレー１１により閉じられるため、上記樋溝４０の長手方向の各部断面は密閉状とされる。これにより、上記樋溝４０内を上記所定方向Ｂに流れる廃液Ａがこの樋溝４０の中途部から外部に溢れることは防止される。よって、上記樋溝４０内を流れる廃液Ａは、より確実にほぼ水平な所定方向Ｂに向けて案内される。
【００３６】
上記係止突起４４の内部である両脚部４５，４５同士、および両フック部４６，４６同士の間には、それぞれ隙間が形成される。ここで、上記排液孔３４に係止突起４４を嵌入してこの係止突起４４をバッテリトレー１１に弾性的に係止させるとき、上記係止突起４４の一部（脚部４５およびフック部４６）は弾性的に撓むよう変形する。そこで、このように変形するときの上記係止突起４４の一部の変形分を上記隙間が収容することとされ、これにより、上記係止突起４４の係止時におけるその一部の弾性変形が許容されるようになっている。
【００３７】
上記係止突起４４における各隙間は、上記バッテリトレー１１の第２凹所３２の内底部を上記案内体３７の樋溝４０の内部に連通させる連通孔４８とされている。この連通孔４８は、上記バッテリトレー１１の第２凹所３２の内底部の廃液Ａを上記案内体３７の樋溝４０の内部に流下させる。
【００３８】
上記構成のバッテリ装置９によれば、上記バッテリ１０周りに生じた廃液Ａは、このバッテリ１０周りから上記バッテリトレー１１内に流入し、上記バッテリトレー１１の内底面を流れて上記第２凹所３２内に集められる。
【００３９】
次に、上記第２凹所３２内の廃液Ａの大部分は、上記排液孔３４に嵌入させられてその上端開口縁部に係止された上記係止突起４４の連通孔４８を通り上記案内体３７の内部に流入させられる。一方、上記第２凹所３２内の廃液Ａの他部分は、上記第２凹所３２の内底面を形成する上記膨出部３３の底部板３３ｂの上面に、水滴状などの形状で残留するおそれがある。しかし、上記廃液Ａの他部分は、上記係止突起４４の各フック部４６の係止面と上記排液孔３４の上端開口縁部との間の隙間と、上記排液孔３４の内面とこの排液孔３４に嵌入された係止突起４４の各脚部４５の外面との間の隙間とに向かって毛細管現象により順次積極的に吸い込まれ、その後、これら隙間を通り抜けて、上記案内体３７の内部に流入させられる。
【００４０】
次に、上記案内体３７の内部の樋溝４０に流入させられた廃液Ａは、この樋溝４０内を流れてほぼ水平な所定方向Ｂに案内され、その後、上記樋溝４０の上記所定方向Ｂの端部開口から上記支持ブラケット１７の屈曲部１７ａ上面の溝２１内に流下させられる。この場合、この溝２１の内面は、上記案内体３７側から車体２の外側方に向かって離れるに従い下方に向かうよう傾斜している。このため、上記のように溝２１内に流下させられた廃液Ａはこの溝２１内を円滑かつ速やかに流下して車体２の側壁４の下方である所定方向Ｃに向けて更に案内される。そして、上記廃液Ａは上記側壁４の下方に排出され、廃棄される。
【００４１】
上記構成によれば、案内体３７の内面に突設され、排液孔３４に嵌入されてバッテリトレー１１に係止される係止突起４４を設け、上記バッテリトレー１１の内底部を案内体３７の内部に連通させる連通孔４８を上記係止突起４４に形成している。
【００４２】
このため、上記バッテリトレー１１に形成された排液孔３４に上記係止突起４４を係止させれば、この係止突起４４を介し上記バッテリトレー１１に上記案内体３７が組み付けられて支持されることとなる。そして、上記バッテリトレー１１の内底部における廃液Ａは上記係止突起４４に形成された連通孔４８を通し上記案内体３７の内部に流入させられ、その後、所定方向Ｂに案内されて廃棄可能とされる。
【００４３】
よって、上記バッテリトレー１１に案内体３７を支持させるために、上記バッテリトレー１１に形成された排液孔３４が利用されたのであり、また、上記バッテリトレー１１の内底部における廃液Ａを上記案内体３７の内部に流入させる上記連通孔４８の形成のために、上記バッテリトレー１１に案内体３７を支持させるための上記係止突起４４が利用されている。そして、このようにバッテリ装置９の各構成部品を利用した結果、このバッテリ装置９の部品点数を少なく抑制できることから、このバッテリ装置９の構成を簡単にできると共に、生産性の向上により製造が安価にできる。
【００４４】
また、上記のようにバッテリ装置９の構成を簡単にできることと、上記バッテリトレー１１への案内体３７の組み付けが上記バッテリトレー１１の排液孔３４に上記案内体３７に突設した係止突起４４を嵌入するという単純な作業で達成されることとにより、上記バッテリ装置９の組立作業は容易にできることとなる。
【００４５】
また、前記したように、バッテリトレー１１を固定側部材１２に支持させる支持ブラケット１７を設け、この支持ブラケット１７にビード２０を形成し、このビード２０の内面を上方に向かって開く溝２１とし、この溝２１が上記案内体３７により案内された廃液Ａを更に所定方向Ｃに案内するようにしている。
【００４６】
このため、上記支持ブラケット１７は上記ビード２０により補強されることから、この支持ブラケット１７により上記バッテリトレー１１とバッテリ１０とは上記固定側部材１２に対し強固に支持される。そして、このように支持ブラケット１７を補強するビード２０の内面の溝２１が上記廃液Ａを更に所定方向Ｃに案内するものとして利用される。よって、その分、このバッテリ装置９の部品点数を、更に抑制できる。
【００４７】
また、前記したように、バッテリトレー１１の排液孔３４に対し上記係止突起４４を嵌入してバッテリトレー１１に弾性的に係止させるとき、上記係止突起４４の一部（脚部４５．およびフック部４６）の弾性変形を許容するためにその変形分を収容するよう上記係止突起４４に隙間を形成した場合において、この隙間を、上記連通孔４８としている。
【００４８】
このため、上記係止突起４４がその機能を発揮する必要上、この係止突起４４に形成される隙間が上記連通孔４８に利用されたのであり、よって、この連通孔４８を別途に形成しないで足りる分、このバッテリ装置９の形成作業が、より容易にできる。
【００４９】
なお、上記バッテリ装置９の適用は車両１に限定されるものではなく、産業機器などバッテリ１０を必要とする種々のものに適用可能である。また、上記バッテリトレー１１、案内体３７、および係止突起４４はいずれも耐酸性に優れ、腐食し難い樹脂製とされるが、これらを金属製としてもよく、上記案内体３７と係止突起４４とは互いに別体に形成して、この係止突起４４を案内体３７に嵌着させたり締結具などにより固着させたりしてもよい。
【００５０】
また、上記排液孔３４と、上記係止突起４４の両脚部４５，４５の平面断面視（図２）での全体的な外面とは、それぞれ互いに嵌合可能な矩形状にしてもよい。このようにした場合において、上記排液孔３４に係止突起４４を嵌入させて係止させさえすれば、上記排液孔３４の縦向き軸心回りで上記係止突起４４が案内体３７と共に自由に回動することは阻止され、上記排液孔３４の軸心回りでの所定位置に上記係止突起４４と共に案内体３７が位置決めされる。また、上記係止突起４４と連通孔４８とはそれぞれ複数設けてもよい。
【符号の説明】
【００５１】
１    車両
２    車体
９    バッテリ装置
１０  バッテリ
１１  バッテリトレー
１２  固定側部材
１３  第１支持装置
１４  第２支持装置
１７  支持ブラケット
１７ａ  屈曲部
２０  ビード
２１  溝
３１  第１凹所
３２  第２凹所
３３  膨出部
３３ａ  側部板
３３ｂ  底部板
３４  排液孔
３７  案内体
３８  底部板
３９  側部板
４０  樋溝
４１  閉止板
４２  補強板
４４  係止突起
４５  脚部
４６  フック部
４８  連通孔
Ａ    廃液
Ｂ    所定方向
Ｃ    所定方向
【図１】
2013235702.tif 000003
【図２】
2013235702.tif 000004
【図３】
2013235702.tif 000005
【図４】
2013235702.tif 000006
【図５】
2013235702.tif 000007
【図６】
2013235702.tif 000008